(57)【要約】【課題】  発声時の飛沫の拡散を防ぐと共に、外部への防音を図り、同時に歌いやすさを損なわないマイクカバーを提供すること。【解決手段】  マイクの集音部に取り付けて用いるマイクカバー１であって、弾性を有する略円筒状のフード部２と、フード部の一端におけるマイク側開口部２０をマイクに密着して固定するマイク密着体３とから成り、フード部２の内面には吸音を行うための消音ウレタン２３を貼着し、フード部２の他端における口側開口部２１を使用者の口に押圧して該フード部の内部で発声するように構成する。【選択図】 図１
0003230078.tif 000002
【実用新案登録請求の範囲】
【請求項１】
マイクの集音部に取り付けて用いるマイクカバーであって、
弾性を有する略円筒状のフード部と、該フード部の一端におけるマイク側開口部を該マイクに密着して固定するマイク密着体とから成り、
該フード部の内面には吸音を行うための消音ウレタンを貼着し、
該フード部の他端における口側開口部を使用者の口に押圧して該フード部の内部で発声するようにした
ことを特徴とするマイクカバー
【請求項２】
前記静音ウレタンは、表面に凹凸を形成して発声を吸収する
請求項１に記載のマイクカバー。
【請求項３】
前記口側開口部が使用者の顔の表面に沿って湾曲した形状であり、
左右両側が頬に当接するように凸状とする一方、上下両側は凹状であって、
顎に当接する下側が上側に比してより深く凹状である
請求項１又は２に記載のマイクカバー。
【考案の詳細な説明】
【技術分野】
【０００１】
本考案は、マイクに装着して発声時の飛沫の防止と防音を兼ねたマイクカバーに関するものである。
【背景技術】
【０００２】
近年のウイルス感染の拡大の中で、カラオケ等を安全に楽しむ技術的な解決が求められている。マイクを用いて歌唱すると、通常の会話よりもはるかに唾液等の飛沫が飛散しやすいため、これを防ぐ技術が必要である。
【０００３】
特許文献１には、人体の口から飛散する飛沫による感染を大きく低減することができ、かつマイクにも容易に装着及び取り外しができ、さらには処分も簡単に行うことのできるマイクカバーが開示されている。そのために、人体の口部から飛散する飛沫がマイクヘッドの周辺から前方に拡散するのを防御するための防御壁を有し、この防御壁は、飛沫を受け止めるための複数のシートを相互に剥離可能に重ね合わせた飛沫受止体を有した構造である。
【０００４】
特許文献２には集音マイクの集音部に対して取り外し可能に直接に被着され、かつ抗菌処理が施された内部カバー部材と、内部カバー部材の着脱のために内部カバー部材を包囲する外部カバー部材とを含み、内部カバー部材は、外部カバー部材を介して把持可能、かつ把持状態知覚可能なつまみ部材を有する構造が開示されている。
【０００５】
飛散防止と同時に、家庭内で歌唱する際には歌声を外に漏らしにくく、防音を図りながら歌いやすさを損なわない技術も期待されている。
【先行技術文献】
【特許文献】
【０００６】
【特許文献１】特許第6738507号
【特許文献２】実用新案登録第3110155号
【特許文献３】特許第3028212号
【特許文献４】特開2009-190742
【特許文献５】実開平6-27612
【考案の概要】
【考案が解決しようとする課題】
【０００７】
本考案は上記従来技術を解決するために創出されたものであり、発声時の飛沫の拡散を防ぐと共に、外部への防音を図り、同時に歌いやすさを損なわないマイクカバーを提供することを目的とする。
【課題を解決するための手段】
【０００８】
上記課題を解決するため、本考案は次のようなマイクカバーを提供する。
すなわち、マイクの集音部に取り付けて用いるマイクカバーであって、弾性を有する略円筒状のフード部と、フード部の一端におけるマイク側開口部を該マイクに密着して固定するマイク密着体とから成り、フード部の内面には吸音を行うための静音ウレタンを貼着する。
このような構成のマイクカバーにおいて、フード部の他端における口側開口部を使用者の口に押圧してフード部の内部で発声するようにしたマイクカバーを提供する。
【０００９】
第２の実施態様によれば、静音ウレタンは、表面に凹凸を形成して発声を吸収する構造でもよい。
【００１０】
第３の実施態様によれば、口側開口部が使用者の顔の表面に沿って湾曲した形状であり、  左右両側が頬に当接するように凸状とする一方、上下両側は凹状であって、顎に当接する下側が上側に比してより深く凹状としてもよい。
【考案の効果】
【００１１】
本考案によれば、マイクと口を適切に覆うフード部を備えることで発声時の飛沫の拡散を防ぎながら、外部への防音性を高めることができる。フード部の口側開口部を十分に大きくとることができるので、歌いやすさを損うことのないマイクカバーを提供することができる。
【図面の簡単な説明】
【００１２】
【図１】本考案に係るマイクカバーの断面図である。
【図２】本考案に係るマイクカバーの底面図である。
【図３】本考案に係るマイクカバーの左側面図である。
【図４】本考案に係るマイクカバーの正面図である。
【図５】消音ウレタンの模式図である。
【考案を実施するための形態】
【００１３】
以下、本考案の実施形態を、図面に示す実施例を基に説明する。なお、実施形態は下記に限定されるものではない。
図１は、本考案に係るマイクカバー（１）の断面図である。また図２は同じく底面図、図３は左側面図、図４は正面図である。
正面図は、使用時に口に当接する面を示しており、左側面図の下側が顎側となる向きで使用する。
【００１４】
マイクカバー（１）は弾性を有する略円筒状のフード部（２）と、フード部（２）の一端におけるマイク側開口部（２０）を有する。本考案によるマイクカバー（１）は、公知の棒状のマイク（図示しない）の集音部近傍に取り付けて使用する。
【００１５】
フード部（２）は、本実施例では低密度ポリエチレン（ＬＤＰＥ）を用いているが、これに限定されず、シリコンや天然ゴムなど弾性を有する樹脂素材で形成することもできる。
図１における下側をマイク側開口部（２０）、上側を口側開口部（２１）としてそれぞれ開口している。図示から明らかなように、口側開口部（２１）の口径はマイク側開口部（２０）よりも大径であり、使用者が口を開いた時にもすべて覆うために十分な径を有している。
【００１６】
また口側開口部（２１）の周縁部（２２）は曲面で構成され、肌に当接した時にも柔らかく、同時に顔の様々な曲面にも柔軟に対応するように形成されている。
周縁部（２２）の断面はＣ字状に折り返されており、その内部には吸音材である静音ウレタン（２３）をフード部（２）の内面に貼着して一体的に構成している。
【００１７】
静音ウレタン（２３）の模式図を図５に示す。図示されるように、静音ウレタン（２３）の表面は凹凸となるよう、山部（２３０）と谷部（２３１）が交互に形成されている。公知のようにウレタン材料の表面に凹凸を設けることによって吸音性を向上させることができる。合わせて、不要な反響がないため、歌唱時の音質も高めることができる。
【００１８】
本考案ではフード部（２）の外装をポリエチレン、内部に静音ウレタンと別の素材で構成することによって、固有振動数が異なり、防音性を向上することに寄与している。
【００１９】
なお本考案において、フード部（２）の外装と、静音ウレタン（２３）は面として当接していることを貼着と表現しており、必ずしも接着固定することは意味しない。特に、上記のようにＣ字状で折り返すことで、静音ウレタン（２３）は弾性によってフード部（２）内に適切に位置し、ずれにくくなるため、嵌め合わせるだけでもよい。
この場合、静音ウレタン（２３）が汚れた際には容易に交換することもできる。
【００２０】
フード部（２）のマイク側開口部（２０）には、マイクの外周に嵌合させるマイク密着体（３）を連結する。マイク密着体（３）はゴム素材で形成し、外周の段部（３０）にマイク側開口部（２０）の縁を嵌合して固定する。
【００２１】
マイク密着体（３）中心の孔部（３１）がマイクの外周に嵌め込まれることによって、マイクカバー（１）がマイクに固定される。このとき、ゴムの弾性によって両者が密着しているので、隙間から音が漏れることもなく、防音性を高めることができる。
【００２２】
本考案において、フード部（２）の最適な形状についてさらに説述する。
すなわち、口側開口部（２１）が使用者の顔の表面に沿って湾曲した形状であって、図２で示されるように左右両側が頬に当接するように凸状とする。人間の顔は口が最も前方に出て、頬にかけて後退しているので、当該構成によって確実に顔面に密着させることができる。
【００２３】
さらに図２及び図３に示すように、上下両側は凹状である。この凹状形状は口の上下の肌面に沿った曲面とすることが好ましい。この凹状及び凸状の組み合わせで、使用者はフード部（２）を口の周辺に完全に密着させることができ、フード部（２）内で発声した声や飛沫を外部に遮断することができる。
【００２４】
加えて、顎に当接する下側が上側に比してより深く凹状としてもよい。図２に示すように、本考案では下側の曲線（２５）が上側の曲線（２４）がよりも低くしており、マイクを斜めにした状態でも無理なく口の上側、下側に当接させることができる。
【符号の説明】
【００２５】
１    マイクカバー
２    フード部
２０  マイク側開口部
２１  口側開口部
２２  周縁部
２３  消音ウレタン
３    マイク密着体
３０  段部
【図１】
0003230078.tif 000003
【図２】
0003230078.tif 000004
【図３】
0003230078.tif 000005
【図４】
0003230078.tif 000006
【図５】
0003230078.tif 000007